(57)【要約】【課題】自機の充電及び接続先の端末の充電を効率的に実施できるバンド型装着デバイスを提供する。【解決手段】バンド型装着デバイス１は、レセプタクル部３とプラグ部４とを結合させたときに本体部２が環状をなすようになっている。このバンド型装着デバイス１では、レセプタクル部３及びプラグ部４の接続状態に応じて第２の回路７のオン・オフを切り替えることで、レセプタクル部３とプラグ部４とを結合させた状態を含め、レセプタクル部３及びプラグ部４の接続先に応じて自機のバッテリ部５の充電を効率的に実施できる。【選択図】図４
2015180132.tif 000002
【特許請求の範囲】
【請求項１】
可撓性を有する本体部と、
前記本体部の一端側に設けられた第１の接続部と、
前記本体部の他端側に設けられた第２の接続部と、を備え、
前記第１の接続部と前記第２の接続部を結合させたときに前記本体部が環状をなすバンド型装着デバイスであって、
充電池を有するバッテリ部と、
前記バッテリ部と前記第１の接続部とを接続する第１の回路と、
前記バッテリ部と前記第２の接続部とを接続する第２の回路と、
前記第２の回路のオン・オフを切り替える切替スイッチと、
前記第１の接続部及び前記第２の接続部の接続状態を検出する接続状態検出部と、
前記接続状態検出部による前記第１の接続部及び前記第２の接続部の接続状態の検出結果に基づいて前記切替スイッチを制御するスイッチ制御部と、を備えたバンド型装着デバイス。
【請求項２】
前記接続状態検出部は、前記第１の接続部及び前記第２の接続部に接続された外部端末からの信号の入力の有無によって前記第１の接続部及び前記第２の接続部の接続状態を検出する請求項１記載のバンド型装着デバイス。
【請求項３】
前記スイッチ制御部は、前記接続状態検出部によって前記第１の接続部が非接続状態であり、かつ前記第２の接続部が接続状態であると判断された場合に、前記切替スイッチをオンにする請求項１又は２記載のバンド型装着デバイス。
【請求項４】
前記バッテリ部の充電状態を検出する充電状態検出部を更に備えた請求項３記載のバンド型装着デバイス。
【請求項５】
前記スイッチ制御部は、初期状態において前記切替スイッチをオフとし、前記切替スイッチをオンにした後、前記充電状態検出部によって前記バッテリ部の充電の完了が検出した場合に前記切替スイッチをオフにする請求項４記載のバンド型装着デバイス。
【請求項６】
前記スイッチ制御部は、前記接続状態検出部によって前記第１の接続部が非接続状態であり、かつ前記第２の接続部が接続状態であると判断された場合、及び前記第１の接続部と前記第２の接続部の双方が接続状態にあると判断された場合に、前記切替スイッチをオンにする請求項１又は２記載のバンド型装着デバイス。
【請求項７】
前記バッテリ部及び前記第２の接続部に接続された外部端末の充電状態を検出する充電状態検出部を更に備えた請求項６記載のバンド型装着デバイス。
【請求項８】
前記スイッチ制御部は、初期状態において前記切替スイッチをオフとし、前記切替スイッチをオンにした後、前記充電状態検出部によって前記バッテリ部及び前記第２の接続部に接続された外部端末の充電の完了が検出した場合に前記切替スイッチをオフにする請求項７記載のバンド型装着デバイス。
【発明の詳細な説明】
【技術分野】
【０００１】
本発明は、バンド型装着デバイスに関する。
【背景技術】
【０００２】
近年、例えばユーザの腕部などに装着可能なバンド型装着デバイスの開発が行われている。このような装着デバイスは、ユーザの所有するパーソナルコンピュータや携帯電話機等の電子機器の遠隔操作、ユーザの生体情報の検出による健康管理、或いはユーザへの地図情報等の提示といった各種機能への展開により、利便性の向上が非常に期待されている。
【０００３】
バンド型装着デバイスは、ユーザの利便性や装着時の快適性などの観点から、小型化を実現する必要があり、バンド型装着デバイスの内部には、例えば駆動のための小型のバッテリが配置される。例えば特許文献１に記載の充電電池ユニットは、電極を有するユニットケース内に、充電器の磁束で起電力を発生する電磁誘導回路と、電磁誘導回路の起電力で繰り返し充電する蓄電部とを備えて構成されている。
【先行技術文献】
【特許文献】
【０００４】
【特許文献１】特開２００５−１７６４９４号公報
【発明の概要】
【発明が解決しようとする課題】
【０００５】
バッテリを搭載するバンド型装着デバイスの充電方法としては、例えばＵＳＢ端子などを介してパーソナルコンピュータや携帯端末等と接続し、これらの端末を介して給電を受ける方法などが存在する。一方、充電の利便性を考慮すると、バンド型装着デバイスを中継して装着デバイスの接続先の機器への給電を行うことも考えられる。
【０００６】
本発明は、上記課題の解決のためになされたものであり、自機の充電及び接続先の端末の充電を効率的に実施できるバンド型装着デバイスを提供することを目的とする。
【課題を解決するための手段】
【０００７】
上記課題の解決のため、本発明に係るバンド型装着デバイスは、可撓性を有する本体部と、本体部の一端側に設けられた第１の接続部と、本体部の他端側に設けられた第２の接続部と、を備え、第１の接続部と第２の接続部を結合させたときに本体部が環状をなすバンド型装着デバイスであって、充電池を有するバッテリ部と、バッテリ部と第１の接続部とを接続する第１の回路と、バッテリ部と第２の接続部とを接続する第２の回路と、第２の回路のオン・オフを切り替える切替スイッチと、第１の接続部及び第２の接続部の接続状態を検出する接続状態検出部と、接続状態検出部による第１の接続部及び第２の接続部の接続状態の検出結果に基づいて切替スイッチを制御するスイッチ制御部と、を備える。
【０００８】
このバンド型装着デバイスは、第１の接続部と第２の接続部とを結合させたときに本体部が環状をなすようになっている。このバンド型装着デバイスでは、第１の接続部及び第２の接続部の接続状態に応じて第２の回路のオン・オフを切り替えることで、第１の接続部と第２の接続部とを結合させた状態を含め、第１の接続部及び第２の接続部の接続先に応じて自機バッテリ部の充電を効率的に実施できる。また、切替スイッチは、第２の回路のオン・オフのみを切り替えるように構成されているので、制御の簡単化も図られる。
【０００９】
また、接続状態検出部は、第１の接続部及び第２の接続部に接続された外部端末からの信号の入力の有無によって第１の接続部及び第２の接続部の接続状態を検出してもよい。この場合、第１の接続部及び第２の接続部への外部端末の接続の有無をより確実に検出できる。
【００１０】
また、スイッチ制御部は、接続状態検出部によって第１の接続部が非接続状態であり、かつ第２の接続部が接続状態であると判断された場合に、切替スイッチをオンにしてもよい。このような制御により、第１の接続部に接続された外部端末の接続によってバンド型装着デバイスのみを充電する場合の処理を好適に実行できる。
【００１１】
また、バッテリ部の充電状態を検出する充電状態検出部を更に備えていてもよい。こうすると、バンド型装着デバイスにおいて、バッテリ部の充電状態を把握できる。
【００１２】
また、スイッチ制御部は、初期状態において切替スイッチをオフとし、切替スイッチをオンにした後、充電状態検出部によってバッテリ部の充電の完了が検出した場合に切替スイッチをオフにしてもよい。これにより、接続状態検出部の検出結果に基づく切替スイッチの制御を簡単化できる。
【００１３】
また、スイッチ制御部は、接続状態検出部によって第１の接続部が非接続状態であり、かつ第２の接続部が接続状態であると判断された場合、及び第１の接続部と第２の接続部の双方が接続状態にあると判断された場合に、切替スイッチをオンにしてもよい。このような制御により、第１の接続部に接続された外部端末によってバンド型装着デバイスと第２の接続部に接続された外部端末とを充電する場合の処理を好適に実行できる。
【００１４】
また、バッテリ部及び第２の接続部に接続された外部端末の充電状態を検出する充電状態検出部を更に備えていてもよい。こうすると、バンド型装着デバイスにおいて、バッテリ部及び第２の接続部に接続された外部端末の充電状態を把握できる。
【００１５】
また、スイッチ制御部は、初期状態において切替スイッチをオフとし、切替スイッチをオンにした後、充電状態検出部によってバッテリ部及び第２の接続部に接続された外部端末の充電の完了が検出した場合に切替スイッチをオフにしてもよい。これにより、接続状態検出部の検出結果に基づく切替スイッチの制御を簡単化できる。
【発明の効果】
【００１６】
本発明によれば、自機の充電及び接続先の端末の充電を効率的に実施できる。
【図面の簡単な説明】
【００１７】
【図１】本発明に係るバンド型装着デバイスの一実施形態を示す図である。
【図２】バンド型装着デバイスの展開状態での使用例を示す図である。
【図３】バンド型装着デバイスの装着状態での使用例を示す図である。
【図４】バンド型装着デバイスの充電機能に関する構成要素を示す図である。
【図５】図４に示したバンド型装着デバイスの接続状態と切替スイッチの動作との関係の一例を示す図である。
【図６】図４に示したバンド型装着デバイスの動作を示すフローチャートである。
【図７】変形例に係るバンド型装着デバイスの充電機能に関する構成要素を示す図である。
【図８】図７に示したバンド型装着デバイスの接続状態と切替スイッチの動作との関係を示す図である。
【図９】図７に示したバンド型装着デバイスの動作を示すフローチャートである。
【発明を実施するための形態】
【００１８】
以下、図面を参照しながら、本発明に係るバンド型装着デバイスの好適な実施形態について詳細に説明する。
【００１９】
図１は、本発明に係るバンド型装着デバイスの一実施形態を示す図である。同図に示すように、バンド型装着デバイス１は、展開状態において例えば扁平な直方体形状をなす本体部２を有している。また、本体部２の内部には、例えばリチウムイオン電池などの充電池を有するバッテリ部５（図４参照）が設けられている。本体部２は、例えば熱可塑性エラストマやポリプロピレンといった材料によって形成され、環状に変形可能な程度の十分な可撓性と、内部配線の断線等を防止可能な程度の十分な耐衝撃性とを備えている。
【００２０】
本体部２の長手方向の一端面にはレセプタクル部（第１の接続部）３が設けられ、他端面にはプラグ部（第２の接続部）４が設けられている。レセプタクル部３は、例えばマイクロＵＳＢ端子のプラグ側コネクタが接続される接続部となっており、プラグ部４は、例えばマイクロＵＳＢのレセプタクル部側コネクタが接続される接続部となっている。
【００２１】
図２は、バンド型装着デバイス１の展開状態での使用例を示す図である。同図に示すように、展開状態のバンド型装着デバイス１では、例えばマイクロＵＳＢ端子のプラグ側コネクタ１２を有するＡＣアダプタ１１などの外部端末をレセプタクル部３に接続可能となっており、例えばマイクロＵＳＢのレセプタクル部側コネクタ１４を有するスマートフォンやタブレット等の外部端末１３をプラグ部４に接続可能となっている。この場合、バンド型装着デバイス１は、接続されたＡＣアダプタ１１或いは外部端末１３からの給電により、バッテリ部５の充電機能を実行するようになっている。
【００２２】
図３は、バンド型装着デバイス１の装着状態での使用例を示す図である。同図に示すように、バンド型装着デバイス１は、本体部２を曲げてレセプタクル部３とプラグ部４とを結合することで本体部２が環状をなし、例えばユーザの手首に装着可能な状態となる。この場合、バンド型装着デバイス１は、例えばユーザの脈拍といった生体情報を検出して表示する健康管理機能を実行するようになっている。
【００２３】
次に、上述したバンド型装着デバイス１の充電機能に関して更に詳細に説明する。
【００２４】
図４は、バンド型装着デバイス１の充電機能に関する構成要素を示す図である。同図に示すように、バンド型装着デバイス１は、バッテリ部５とレセプタクル部３とを接続する第１の回路６と、バッテリ部５とプラグ部４とを接続する第２の回路７と、第２の回路７のオン・オフを切り替える切替スイッチ８と内蔵している。また、バンド型装着デバイス１は、機能的な構成要素として、接続状態検出部１０１と、充電状態検出部１０２と、スイッチ制御部１０３とを有している。
【００２５】
接続状態検出部１０１は、レセプタクル部３及びプラグ部４の接続状態を検出する部分である。接続状態検出部１０１は、レセプタクル部３及びプラグ部４にＡＣアダプタ１１或いは外部端末１３からの所定の信号の入力がある場合には、レセプタクル部３及びプラグ部４が接続状態であると判断し、レセプタクル部３及びプラグ部４に信号の入力がない場合には、レセプタクル部３及びプラグ部４が非接続状態であると判断する。接続状態検出部１０１は、検出結果を示す検出結果情報をスイッチ制御部１０３に出力する。
【００２６】
充電状態検出部１０２は、バッテリ部５の充電状態を検出する部分である。充電状態検出部１０２は、バッテリ部５の充電状態を常時検出し、検出結果を示検出結果情報をスイッチ制御部１０３に出力する。
【００２７】
スイッチ制御部１０３は、切替スイッチ８を制御する部分である。より具体的には、スイッチ制御部１０３は、接続状態検出部１０１から検出結果情報を受け取ると、当該検出結果情報が示すレセプタクル部３及びプラグ部４の接続状態に基づいて切替スイッチ８のオン・オフを切り替える。
【００２８】
図５は、バンド型装着デバイス１の接続状態と切替スイッチ８の動作との関係の一例を示す図である。同図に示すように、例えばレセプタクル部３及びプラグ部４の双方が接続状態である場合（接続状態１）、スイッチ制御部１０３は、切替スイッチ８をオフ状態とする。この場合、バッテリ部５は、プラグ部４に接続された外部端末１３からの給電は受けず、レセプタクル部３に接続されたＡＣアダプタ１１からの給電を受けて充電される。
【００２９】
例えばレセプタクル部３が非接続状態であり、かつプラグ部４が接続状態である場合（接続状態２）、スイッチ制御部１０３は、切替スイッチ８をオン状態とする。この場合、バッテリ部５は、プラグ部４に接続された外部端末１３からの給電を受けて充電される。例えばレセプタクル部３が接続状態であり、かつプラグ部４が非接続状態である場合（接続状態３）、スイッチ制御部１０３は、切替スイッチ８をオフ状態とする。この場合、バッテリ部５は、レセプタクル部３に接続されたＡＣアダプタ１１からの給電を受けて充電される。
【００３０】
例えばレセプタクル部３及びプラグ部４の双方が非接続状態である場合（接続状態４）、スイッチ制御部１０３は、切替スイッチ８をオフ状態とする。この接続状態４は、例えば図３に示したように、レセプタクル部３とプラグ部４とが結合して本体部２が環状となった状態を含む。この場合、バッテリ部５は、充電機能を実施しない。
【００３１】
また、スイッチ制御部１０３は、初期状態では切替スイッチ８をオフ状態とし、切替スイッチ８をオンにした後、充電状態検出部１０２によってバッテリ部５の充電の完了が検出した場合に切替スイッチ８をオフにする。図５に示した例では、レセプタクル部３及びプラグ部４の接続状態が初期状態から接続状態２に移行し、外部端末１３からの給電を受けてバッテリ部５の充電が完了した後、切替スイッチ８がオフとなる。
【００３２】
続いて、上述したバンド型装着デバイス１の動作について説明する。図６は、バンド型装着デバイス１の動作を示すフローチャートである。
【００３３】
同図に示すように、バンド型装着デバイス１では、初期状態において切替スイッチ８がオフとなっており、まず、プラグ部４が接続状態であるか否かが判断される（ステップＳ０１）。プラグ部４が非接続状態である場合、切替スイッチ８の制御はなされず、切替スイッチ８がオフのまま処理が終了する。
【００３４】
プラグ部４が接続状態である場合、次に、レセプタクル部３が接続状態であるか否かが判断される（ステップＳ０２）。レセプタクル部３が非接続状態である場合、切替スイッチ８がオンに切り替えられる（ステップＳ０３）。その後、バッテリ部５の充電が完了したか否かが判断され（ステップＳ０４）、バッテリ部５の充電が完了した場合に切替スイッチ８がオフに切り替えられる（ステップＳ０５）。レセプタクル部３が接続状態である場合、切替スイッチ８の制御はなされず、切替スイッチ８がオフのまま処理が終了する。
【００３５】
以上説明したように、バンド型装着デバイス１は、レセプタクル部３とプラグ部４とを結合させたときに本体部２が環状をなすようになっている。このバンド型装着デバイス１では、レセプタクル部３及びプラグ部４の接続状態に応じて第２の回路７のオン・オフを切り替えることで、レセプタクル部３とプラグ部４とを結合させた状態（バッテリ部５の充電機能を実行しない状態）を含め、レセプタクル部３及びプラグ部４の接続先に応じて自機のバッテリ部５の充電を効率的に実施できる。また、切替スイッチ８は、第２の回路７のオン・オフのみを切り替えるように構成されているので、制御の簡単化も図られる。
【００３６】
また、バンド型装着デバイス１では、レセプタクル部３に接続されたＡＣアダプタ１１及びプラグ部４に接続された外部端末１３からの信号の入力の有無によって、レセプタクル部３及びプラグ部４の接続状態を検出している。これにより、レセプタクル部３及びプラグ部４へのＡＣアダプタ１１及び外部端末１３の接続の有無をより確実に検出できる。
【００３７】
また、バンド型装着デバイス１では、レセプタクル部３が非接続状態であり、かつプラグ部４が接続状態であると判断された場合に、切替スイッチ８をオンにしている。このような制御により、外部端末１３の接続によってバンド型装着デバイス１のバッテリ部５のみを充電する場合の処理を好適に実行できる。
【００３８】
また、バンド型装着デバイス１では、初期状態において切替スイッチ８をオフとし、切替スイッチ８をオンにした後、バッテリ部５の充電の完了が検出した場合に切替スイッチ８をオフにしている。これにより、バンド型装着デバイス１において、バッテリ部５の充電状態を把握できることに加え、接続状態検出部１０１の検出結果に基づく切替スイッチ８の制御の簡単化が図られる。
【００３９】
本発明は、上記実施形態に限られるものではない。例えば上記実施形態では、バンド型装着デバイス１は、レセプタクル部３にＡＣアダプタ１１が接続され、プラグ部４に外部端末１３が接続された場合に、バッテリ部５のみがＡＣアダプタ１１の給電を受けて充電されるようになっているが、このような場合に、バッテリ部５の充電と、バンド型装着デバイス１を介する外部端末１３の充電とが並行して行われるようにしてもよい。
【００４０】
図７は、当該変形例に係るバンド型装着デバイス２１の充電機能に関する構成要素を示す図である。同図に示すように、変形例に係るバンド型装着デバイス２１は、充電状態検出部１０２がプラグ部４にも接続され、バッテリ部５の充電状態と外部端末１３の充電状態とを常時検出する点で上記実施形態と異なっている。すなわち、バンド型装着デバイス２１では、プラグ部４に接続された外部端末１３から充電状態に関する情報を受信し、バッテリ部５の充電状態と外部端末１３の充電状態を常時検出する。
【００４１】
図８は、バンド型装着デバイス２１の接続状態と切替スイッチ８の動作との関係の一例を示す図である。同図に示すように、接続状態２〜４については、バンド型装着デバイス１と同様に切替スイッチ８の切り替えが実行される。一方、接続状態１の場合、スイッチ制御部１０３は、切替スイッチ８をオン状態とする。この場合、バッテリ部５がレセプタクル部３に接続されたＡＣアダプタ１１からの給電を受けて充電されると共に、余剰の電力が第２の回路７を介して外部端末１３に供給され、外部端末１３の充電が実行される。
【００４２】
次に、バンド型装着デバイス２１の動作について説明する。図９は、バンド型装着デバイス２１の動作を示すフローチャートである。
【００４３】
同図に示すように、バンド型装着デバイス２１では、初期状態において切替スイッチ８がオフとなっており、まず、プラグ部４が接続状態であるか否かが判断される（ステップＳ１１）。プラグ部４が非接続状態である場合、切替スイッチ８の制御はなされず、切替スイッチ８がオフのまま処理が終了する。
【００４４】
プラグ部４が接続状態である場合、次に、レセプタクル部３が接続状態であるか否かが判断される（ステップＳ１２）。レセプタクル部３が非接続状態である場合、切替スイッチ８がオンに切り替えられる（ステップＳ１３）。その後、バッテリ部５の充電が完了したか否かが判断され（ステップＳ１４）、バッテリ部５の充電が完了した場合に切替スイッチ８がオフに切り替えられる（ステップＳ１５）。
【００４５】
レセプタクル部３が接続状態である場合も、切替スイッチ８がオンに切り替えられる（ステップＳ１６）。その後、バッテリ部５及び外部端末１３の充電が完了したか否かが判断され（ステップＳ１７）、バッテリ部５及び外部端末１３の充電が完了した場合に切替スイッチ８がオフに切り替えられる（ステップＳ１８）。
【００４６】
以上のようなバンド型装着デバイス２１では、レセプタクル部３及びプラグ部４の接続状態に応じて第２の回路７のオン・オフを切り替えることで、レセプタクル部３とプラグ部４とを結合させた状態（バッテリ部５の充電機能を実行しない状態）を含め、レセプタクル部３及びプラグ部４の接続先に応じて自機のバッテリ部５及び外部端末１３の充電を効率的に実施できる。
【符号の説明】
【００４７】
１，２１…バンド型装着デバイス、２…本体部、３…レセプタクル部（第１の接続部）、４…プラグ部（第２の接続部）、５…バッテリ部、６…第１の回路、７…第２の回路、８…切替スイッチ、１１…ＡＣアダプタ（外部端末）、１３…外部端末、１０１…接続状態検出部、１０２…充電状態検出部、１０３…スイッチ制御部。
【図１】
2015180132.tif 000003
【図２】
2015180132.tif 000004
【図３】
2015180132.tif 000005
【図４】
2015180132.tif 000006
【図５】
2015180132.tif 000007
【図６】
2015180132.tif 000008
【図７】
2015180132.tif 000009
【図８】
2015180132.tif 000010
【図９】
2015180132.tif 000011